(57)【特許請求の範囲】
【請求項１】
容器壁が紙層と合成樹脂層との複合層からなる基材から構成されている広口の紙製容器において、前記基材は外面から紙層／熱可塑性樹脂層／ガスバリア層／遮光層／白着色樹脂層／熱可塑性樹脂層を備えてなり、且つ前記白着色樹脂層は白着色２軸延伸ＰＥＴフィルムで構成されていることを特徴とする遮光性紙製容器。
【請求項２】
前記基材は、前記紙層の外面側にさらに熱可塑性樹脂層を備えてなる請求項１に記載の遮光性紙製容器。
【請求項３】
前記ガスバリア層は、エチレンビニルアルコール共重合体、無機酸化物蒸着フィルム、ナイロンの何れかで構成されている請求項１又は２に記載の遮光性紙製容器。
【請求項４】
前記遮光層は、黒色印刷、灰色印刷、黒色系樹脂フィルムの何れかで構成されている請求項１〜３の何れかに記載の遮光性紙製容器。
【請求項５】
前記遮光性紙製容器が、コップ状紙容器である請求項１〜４何れかに記載の遮光性紙製容器。
【発明の詳細な説明】
【０００１】
【発明の属する技術分野】
本発明は、遮光性紙製容器、特に遮光性とガスバリア性を有する紙製容器に関する。
【０００２】
【従来の技術】
従来、飲食品等を密封充填する紙を主原料とする容器（以下、単に紙製容器という）において、内容物の品質劣化を防ぐためにアルミニウム箔又はアルミニウム蒸着を積層してガスバリア性及び遮光性を持たせた紙製容器は、例えば清酒や清涼飲料充填用容器として周知である。近年安価な紙製容器に充填する内容物が多様化しており、飲食時に加熱を必要とするものの場合、容器ごと電子レンジで加熱できるのが望ましいが、アルミニウム層を有する紙製容器の場合は電子レンジで加熱することができない不具合がある。また、容器壁にアルミニウム層があると、充填機で金属探知機が使用できない欠点があると共にリサイクルや廃棄焼却に不具合が生じるという欠点がある。その不具合を解消する手段として、アルミニウム箔又はアルミニウム蒸着を使用しないで透明ガスバリア層と着色樹脂層からなる遮光層を設けた紙製容器が提案されている（例えば、特開平６−２３８８３４号公報）。
【０００３】
【発明が解決しようとする課題】
近年食の多様化や手軽さから、飲料液に限らず固形や練り性、粘稠性食品、あるいはスナック食品等を広口のコップ状紙製容器に充填して、直接容器から飲食できるようにした飲食品が多く販売されてきている。コップ状紙製容器に充填される飲食品で、光や空気により劣化し易い食品の場合、コップ状紙製容器の遮光性、ガスバリア性が求められるが、従来このような要求を満たす紙製容器は、上記公報に示されているようなゲーベルトップ型直方体形状等、細い注出口から内容液を分与する形式の容器が専らであり、コップ状紙製容器でガスバリア層と遮光層を共に備えたものは未だ提供されてない。そのため、アルミニウム箔をラミネート又は蒸着したコップ状容器を除き、コップ状紙製容器に長期保存を必要とする食品の充填は一般に適用されてない。
【０００４】
ガスバリア性及び遮光性を有するコップ状紙製容器を得るのに、前記従来技術を適用することが考えられるが、着色樹脂層からなる遮光層を設ける場合、遮光性を高めるには着色樹脂は黒色やブラウン等黒色系を採用しなければならないので、コップ状容器にそれを適用するとコップ内面が黒ずんだ色となる。そのため、内容物を食する際内容物が直接目視される紙製コップ状容器等の広口容器においては、内容物全体がくすんだ色に見え、見栄えが悪くなるという問題点が生じる。また、紙製コップ状容器の製造に際して、胴部と底部の固着は底壁の接着フランジ部と胴部折返し部とを加熱した状態で圧着ローラでこすりながら熱接着するために、薄膜層で形成されているガスバリア層が波打ってよれてしまい、切れやピンホールが発生し、ガスバリア性が低下する問題点がある。このことは、コップ形状容器の場合に限らず、熱成形する他の形状の紙製容器の場合も同様に生じる問題点である。
【０００５】
本発明は上記実情に鑑み創案されたものであって、紙製容器、特にコップ状等の広口紙製容器において、アルミニウム層やアルミニウム蒸着を設けることなく遮光性とガスバリア性を得ることができ、しかも内容物の見映えを損なうことなく遮光性が達成でき、且つガスバリア層にピンホールや損傷が発生することを防止して優れたガスバリア性を得ることができる紙製容器を提供することを目的とする。
【０００６】
【課題を解決するための手段】
上記課題を解決する本発明の遮光性紙製容器は、容器壁が紙層と合成樹脂層との複合層からなる基材から構成されている広口の紙製容器において、前記基材は外面から紙層／熱可塑性樹脂層／ガスバリア層／遮光層／白着色樹脂層／熱可塑性樹脂層を備えてなり、且つ前記白着色樹脂層は白着色２軸延伸ＰＥＴフィルムで構成されていることを特徴とするものである。本発明が適用される遮光性紙製容器は、空気や光によって変質・劣化する内容物を充填する紙製容器に適用できるが、特に開口した状態で内容物が直接目視できるコップ状容器等の広口の紙製容器に好適である。
【０００７】
前記ガスバリア層は、エチレンビニルアルコール共重合体、無機酸化物蒸着フィルム、ナイロンの何れかで構成するのが望ましく、前記遮光層は、黒色印刷、灰色印刷、黒色系樹脂フィルムの何れかで構成するのが望ましい。また、前記白着色樹脂層は、白着色オレフィン系樹脂等の白着色熱可塑性樹脂、２軸延伸フィルムの何れかで構成するのが望ましい。
【０００８】
基材は、外面から熱可塑性樹脂層／紙層／熱可塑性樹脂層／ガスバリア層／遮光層／白着色樹脂層／熱可塑性樹脂層で構成するか、又は外表面の熱可塑性樹脂層を設けないで、外表面層を紙層で構成しても良い。前記熱可塑性樹脂層としては、ポリエチレンが好適に採用できる。
【０００９】
【発明の実施の形態】
以下、本発明の実施形態を詳細に説明する。
図１は本発明の実施形態に係るコップ状遮光性紙製容器１を示し、図中２は胴部、３は底部であり、胴部２は扇形状の胴部ブランクの両端接合縁を貼合することによって形成され、底部３は円板状の底部ブランクの円周部を図示のように下方に折曲して貼合フランジ５が形成されている。そして、該貼合フランジ５を、胴部２の下端部を内方に折曲して形成した胴部貼合屈曲部６で挾み込んで、その状態で熱圧着により貼着することによって、胴部と底部が一体化されている。前記胴部ブランク及び底部ブランクは、後述する紙を主体とする基材１０から打ち抜き形成される。なお、７は胴部上端部をカール成形後平滑加工して形成した蓋材貼着部である。以上の構造は、従来のコップ状紙容器と同様である。
【００１０】
図２はその容器壁を構成する基材の層構造を示す拡大模式図である。本実施形態の遮光性紙製容器を構成する基材１０は、外面から熱可塑性樹脂層１１／紙層１２／熱可塑性樹脂層１３／ガスバリア層１４／遮光層１５／白着色樹脂層１６／熱可塑性樹脂層１７から構成されている。熱可塑性樹脂層１１、１３は、本実施形態ではポリエチレンを採用しているが、ポリエチレンに限らず、その他のポリオレフィン系樹脂を採用しても良い。
【００１１】
また、ガスバリア層１４は、エチレンビニルアルコール共重合体、例えばアルミナ蒸着ポリエチレンテレフタレートフィルム等の無機酸化物蒸着フィルム、ナイロンの何れで構成しても良く、本実施形態では厚さ１２μのアルミナ蒸着ポリエチレンテレフタレートフィルムを採用した。また、遮光層１５は、黒色インク又は灰色インク等の遮光性のあるインクを用いて印刷で形成しても良く、例えば黒着色インフレーションフィルム等の黒色系樹脂フィルムを積層して形成しても良い。さらに、白着色樹脂層１６は、ポリエチレン、２軸延伸フィルムの何れかを使用すると良い。本実施形態では、厚さ４０μの黒着色インフレーションフィルムを採用した。
【００１２】
白着色樹脂層１６は、遮光性紙製容器を開口した場合、容器内部からの光が遮光層に反射して容器内面が黒ずんで見え、その結果内容物の見映えが悪くなるのを防止することを主目的に設けたものであり、白色顔料をポリエチレンや２軸延伸フィルムに混合して構成する。そのため、白着色樹脂層１６は、遮光層が容器内面より見えない程度に樹脂に白色顔料を混合する必要があるが、前記遮光層５を灰色にすると、ポリエチレンや２軸延伸フィルムに混合する白色顔料を少なくすることができる利点がある。また、白着色樹脂層１６は、前記機能の外に、紙層１２とガスバリア層１４との間の熱可塑性樹脂層１３と共に、容器成形時の加熱圧着時によるガスバリア層１４へのダメージを軽減するクッション材としての機能を有している。それによりガスバリア材の切れやピンホールの発生を防止し、ガスバリア性を高める効果を奏する。その場合、特に白着色樹脂層１６に２軸延伸ＰＥＴフィルムを使用すると、ガスバリア材の高い保護効果が得られる。
【００１３】
本実施形態のコップ状遮光性紙製容器は、以上のように構成され、ガスバリア性と遮光性を備えているので、広口の容器であっても空気や光で変質しやすい内容物を充填して、流通に供することができる。そして、特に、本実施形態の遮光性紙製容器を構成する基材は、遮光層の内側に白着色樹脂層１６を設けてあるので、遮光層が黒色インク印刷層や黒色樹脂フィルムで形成されていても、容器内周面が黒ずむことがなく、逆に白色着色樹脂層により純白であるので、遮光性紙製容器を開口して内容物を目視する際、内容物が遮光層の影響で黒ずむことがなく、逆に白色着色樹脂層により見栄えが良くなり、極めて商品価値の高い遮光性紙製容器が得られる。
【００１４】
また、紙層１２とガスバリア層１４との間のポリエチレン層１３を設け、且つガスバリア層１４・遮光層１５の内側に白着色樹脂層６を設けてあるので、これらのポリエチレン層１３と白着色樹脂層１６が、容器成形時の加熱圧着によるガスバリア層１４へのダメージを軽減するクッション材としての機能を果たし、薄膜であるため切れやピンホールの発生し易いバリア材を効果的に保護することができ、高いガスバリア効果を得ることができる。
【００１５】
以上、本発明の一実施形態について説明したが、本発明は上記実施形態に限るものでなく、その技術的思想の範囲内で種々の設計変更が可能である。例えば遮光性紙製容器の基材の層構造において、最外側の熱可塑性樹脂層１を設けずに、紙層が最外側層となるように構成することも可能である。また、コップ状容器の形状は、例えば図３（ａ）〜（ｄ）に示すように、断面が円形（ａ）に限るものでなく、３角形状（ｂ）、４角形状（ｃ）、６角形状（ｄ）等の多角形や、楕円形状等種々の断面形状が採用できる。なお、これらの断面形状のコップ状容器の場合は、例えば底部と連なる胴部の下方部を通常のコップと同様に円形状にし、その上方を上記の種々の形状に形成しても良い。また、本発明の遮光性紙製容器は、コップ状容器等の広口容器に限らず、ゲーベルトップ型直方体形状と分与式の任意に紙製容器に適用できる。その場合の容器の断面形状も図３に示すような種々の形状が採用できる。
【００１６】
【発明の効果】
以上のように、本発明によれば、アルミニウム箔やアルミニウム蒸着等を採用することなく、遮光性とガスバリア性を併せもった遮光性紙製容器を得ることができ、アルミニウム等の金属採用に伴う種々の不都合がなく、空気や光で変質しやすい内容物も充填して流通に供することができる安価な紙製容器を得ることができる。そして、特に、遮光層の内側に白着色樹脂層を設けてあるので、広口の紙製容器に採用しても容器内面が黒ずんで見えることがなく、内容物の見映えが悪くなることがなく、極めて商品価値の高い遮光性紙製容器が得られる。
【００１７】
また、前記白着色樹脂層が、容器成形時の加熱圧着時によるガスバリア層へのダメージを軽減するクッション材としての機能を果たし、薄膜で切れやピンホールの発生し易いバリア材を効果的に保護することができ、高いガスバリア効果を得ることができる。
【図面の簡単な説明】
【図１】本発明の実施形態に係る遮光性紙製容器の正面断面図である。
【図２】遮光性紙製容器の基材の断面模式図である。
【図３】（ａ）〜（ｄ）は遮光性紙製容器の種々の断面形状を例示している。
【符号の説明】
１  コップ状紙製容器
２  胴部
３  底部
１０  基材
１１、１３、１７  熱可塑性樹脂層
１２  紙層
１４  ガスバリア層
１５  遮光層
１６  白着色樹脂層
【図１】
0004625563.tif 000002
【図２】
0004625563.tif 000003
【図３】
0004625563.tif 000004